(57)【要約】【課題】従来よりも多くのコンセントキャップを収容できるコンパクトなホルダを備えるコンセントキャップ装置を提供すること。【解決手段】コンセントキャップ２０と、ホルダ１１とを備えるコンセントキャップ装置において、前記ホルダが、複数の前記コンセントキャップ２０を収容するための収容空間１７を備えており、前記収容空間の一方の壁部３１に沿って複数のコンセントキャップの各カバー部２１を収容するための保持部３３を備え、該保持部は前記一方の壁部と対向する他方の壁部３２にも形成されることにより、それぞれの前記保持部に各カバー部を収容した状態で各コンセントキャップの各差込部２２が内側に向かうようにされており、かつ、向き合った前記各差込部が正対しないように、前記一方の壁部３１と他方の壁部３２の各収容部は、位置をずらして形成されている。【選択図】図２
2007323935.tif 000002
【特許請求の範囲】
【請求項１】
コンセントの差込孔を覆うためのカバー部と該カバー部の一面から延出され前記差込孔に挿入される差込部とを有するコンセントキャップと、該コンセントキャップを収容するためのコンセントキャップ用ホルダとを備えるコンセントキャップ装置において、
前記コンセントキャップホルダが、
複数の前記コンセントキャップを収容するための収容空間を備えており、前記収容空間の一方の壁部に沿って複数のコンセントキャップの各カバー部を収容するための保持部を備え、該保持部は前記一方の壁部と対向する他方の壁部にも形成されることにより、それぞれの前記保持部に各カバー部を収容した状態で各コンセントキャップの各差込部が内側に向かうようにされており、
かつ、向き合った前記各差込部が正対しないように、前記一方の壁部と他方の壁部の各収容部は、位置をずらして形成されている
ことを特徴とするコンセントキャップ装置。
【請求項２】
前記各保持部が設けられた壁面には貫通孔が形成されていて、収容されているコンセントキャップの一部が視認できるようにされており、かつ該貫通孔は使用者の手指が挿入できる大きさとされていることを特徴とする請求項１に記載のコンセントキャップ装置。
【請求項３】
前記コンセントキャップホルダは、上半体と下半体の上下２体に分離されており、これら上半体と下半体は、各半体の端部がヒンジを介して開閉可能に結合されており、自由端側に係合手段を備える構成としたことを特徴とする請求項１または２のいずれかに記載のコンセントキャップ装置。
【請求項４】
前記コンセントキャップホルダの上半体と下半体を開いた状態において、各開口部の各側壁部に沿って前記保持部が形成されており、この保持部に各カバー部を収容した状態で各コンセントキャップの各差込部が内側に向かうように収容されることで、対向する側壁部に沿って収容された各コンセントキャップの各差込部側が正対しないで、向き合う構成とされていることを特徴とする請求項３に記載のコンセントキャップ装置。
【請求項５】
前記コンセントキャップホルダの外面には、コンセントキャップをコンセントから外すための取外し手段が形成されており、該コンセントキャップの前記カバー部には、前記取外し手段専用の受容部を備えていることを特徴とする請求項１ないし４のいずれかに記載のコンセントキャップ装置。
【発明の詳細な説明】
【技術分野】
【０００１】
この発明は、建物内外の壁面などに設けられたコンセントの差込孔を覆うことで安全を図るようにしたコンセントキャップと、複数のコンセントキャップを収容するためのホルダを有するコンセントキャップ装置の改良に関するものである。
【背景技術】
【０００２】
建物の室内や室外には多くの電気コンセントが設備されている。このようなコンセントにあっては、プラグを挿入するための差込孔が露出しており、幼児などが悪戯して、金属でできたピンなどを手に持って、この差込孔に挿入したりすると、感電して危険である。
また、導電性のものでなくても、鋭利な先端を有するものをコンセントの差込孔に挿入することで、コンセントの故障の原因となったりする。
【０００３】
このような事態を防止するために、例えば、コンセントの差込孔に装着して、該差込孔をカバー部で覆うようにしたコンセントキャップが使用されている。特に、例えば、家庭内の複数の露出したコンセントの差込孔を覆うことができるように、８個セットにした比較的小さなコンセントキャップを紛失しないように収容するホルダとともにコンセントキャップ装置として知られている（特許文献１参照）。
【０００４】
【特許文献１】実公平７−５３２５５号
【発明の開示】
【発明が解決しようとする課題】
【０００５】
ところで、最近で家庭内で使用される電気製品の種類や量が増えており、それに対応して、家庭内などに設けられるコンセントも増加している。このため、従来のような８個セットでは、増加するコンセントの差込孔の数に対応できない場合がある。
また、多くのコンセントキャップをホルダ内に収容しようとすると、ホルダが大型化して、ホルダの自体の収納や取り扱いに不便であるという問題もある。
【０００６】
この発明は、上述の課題を解決するためになされたもので、従来よりも多くのコンセントキャップを収容できるコンパクトなホルダを備えるコンセントキャップ装置を提供することである。
【課題を解決するための手段】
【０００７】
上記目的は、第１の発明にあっては、コンセントの差込孔を覆うためのカバー部と該カバー部の一面から延出され前記差込孔に挿入される差込部とを有するコンセントキャップと、該コンセントキャップを収容するためのコンセントキャップ用ホルダとを備えるコンセントキャップ装置において、前記コンセントキャップホルダが、複数の前記コンセントキャップを収容するための収容空間を備えており、前記収容空間の一方の壁部に沿って複数のコンセントキャップの各カバー部を収容するための保持部を備え、該保持部は前記一方の壁部と対向する他方の壁部にも形成されることにより、それぞれの前記保持部に各カバー部を収容した状態で各コンセントキャップの各差込部が内側に向かうようにされており、かつ、向き合った前記各差込部が正対しないように、前記一方の壁部と他方の壁部の各収容部は、位置をずらして形成されているコンセントキャップ装置により、達成される。
【０００８】
第１の発明の構成によれば、前記コンセントキャップホルダの一方の壁部と、他方の壁部に前記保持部をそれぞれ備えているから、これら保持部にコントキャップのカバー部を収容することで、多数のコンセントキャップを複数列、例えば２列に収容することができる。
しかも、それぞれの前記保持部に各カバー部を収容した状態で各コンセントキャップの各差込部が内側に向かうようにされており、かつ、向き合った前記各差込部が正対しないように、前記一方の壁部と他方の壁部の各収容部は、位置をずらして形成されていることで、向き合った前記各差込部が互いに干渉しないように、交互に配列され収容される。これにより、コンセントキャップホルダの幅寸法を小さく形成することができる。
なお、「収容空間」はコンセントキャップホルダ内の大きな空間を意味し、その収容空間内で、個々の「コンセントキャップ」が収容される部分を収容部と言う。
かくして、沢山のコンセントキャップを収容できるコンパクトなホルダを備えるコンセントキャップ装置を提供することができる。
【０００９】
第２の発明は、第１の発明の構成において、前記各保持部が設けられた壁面には貫通孔が形成されていて、収容されているコンセントキャップの一部が視認できるようにされており、かつ該貫通孔は使用者の手指が挿入できる大きさとされていることを特徴とする。
第２の発明の構成によれば、ケース状とされたコンセントキャップホルダであっても、貫通孔を通して収容されたキャップを確認することで、何個のコンセントキャップが収容されているかを知ることができる。
さらに、収容されているコンセントキャップをそのホルダから取り出すにあたり、前記貫通孔を利用して、指を挿入して送り出しを行うことで、コンセントキャップの出し入れが容易となる。
【００１０】
第３の発明は、第１または２の発明の構成において、前記コンセントキャップホルダは、上半体と下半体の上下２体に分離されており、これら上半体と下半体は、各半体の端部がヒンジを介して開閉可能に結合されており、自由端側に係合手段を備える構成としたことを特徴とする。
第３の発明の構成によれば、コンセントキャップホルダが上半体と下半体に分離され、ヒンジ部開閉可能であるため、その内部に設けた前記収容部にコンセントキャップを出し入れすることがきわめて容易で、しかも閉止時には、上半体と下半体は上下に重ねて係合されるので、一層コンパクトな構成とすることができ、また万一、保持部からコンセントキャップが外れてしまっても紛失することがない。
【００１１】
第４の発明は、第３の発明の構成において、前記コンセントキャップホルダの上半体と下半体を開いた状態において、各開口部の各側壁部に沿って前記保持部が形成されており、保持部に各カバー部を収容した状態で各コンセントキャップの各差込部が内側に向かうように収容されることで、対向する側壁部に沿って収容された各コンセントキャップの各差込部側が正対しないで、向き合う構成とされていることを特徴とする。
第４の発明の構成によれば、前記上半体と、下半体は、前記開放状態において、前記ヒンジを間に介して長く延びるように一体とされた形態となる。該形態とすることで、コンセントキャップホルダは、所定の合成樹脂により、一体に成形可能であることから、製造が容易となる。
【００１２】
第５の発明は、第１ないし４のいずれかに発明の構成において、前記コンセントキャップホルダの外面には、コンセントキャップをコンセントから外すための取外し手段が形成されており、該コンセントキャップの前記カバー部には、前記取外し手段専用の受容部を備えていることを特徴とする。
第５の発明の構成によれば、前記取外し手段は、前記コンセントキャップホルダの外面に設けられ、別体とされていないため、小さな取外し手段を紛失したり、幼児による誤飲の心配が無い。また、コンセントキャップホルダに設けた取外し手段が、収容されているコンセントキャップの取外しに用いられるという関係であり、幼児には容易に理解できる仕組みではなく、コンセントキャップの目的を確実に果たすことができる。
【発明を実施するための最良の形態】
【００１３】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１４】
図１は、本発明の実施形態に係るコンセントキャップ装置（以下、「装置」と略称する）の概略斜視図、図２はその概略分解斜視図である。
これらの図において、装置１０は、図示しないコンセントの差込孔を覆うためのコンセントキャップ（以下、「キャップ」と略称する）２０を備えている。
キャップ２０は、所定の面積を備えた薄板状のもので、例えば略長方形をしたカバー部２１と、このカバー部２１一面から起立する差込部２２を有するものである。キャップ２０は、絶縁材料、例えば、合成樹脂により形成されており、好ましくは、例えばＡＢＳ（アクリロニトリル・ブタジエン・スチレン樹脂）やポリプロピレンなどにより形成されている。ポリプロピレンやＡＢＳ樹脂は、機械的性質がよく、化学的安定性に優れており、着色性もよい。
差込部２２は、キャップ２０を取り付けるべきコンセントの差込孔の形態と対応して設けるもので、図示の形態に限られないが、この実施形態では、カバー部２１の一面から起立する一対の脚片もしくは細幅の帯状の板状片でなり、コンセントの差込孔に緊密に挿入され、保持される構成となっている。なお、カバー部２１における差込部２２とは他面側の一部または全面に、エラストマー等の弾性体を一体成形や接着によって配置し、幼児がぶつかった際の衝撃を低減する構成としてもよい。
【００１５】
装置１０は、このコンセントキャップホルダ（以下、「ホルダ」と略称する）１１に多数のコンセントキャップ２０を収容してなるものである。
ホルダ１１は、以下で詳しく説明するように、できるだけ多数のキャップ２０を収容して、しかもコンパクトな外形を実現する工夫がなされている。そのような構成を実現するための特徴の多くを以下、説明する。
【００１６】
ホルダ１１は、具体的には、図１に示されているように、やや細長の中空の直方体であり、横割りに２分されてなる上半体１５と下半体１６とを備えた中空のケース体である。
すなわち、ホルダ１１は図２に示すように、上半体１５とした半体１６を開くことができ、各上半体１５および下半体１６は互いの一端をヒンジ１８により開閉可能に接合されている。ホルダ１１を図２のように開いた状態で、上半体１５と下半体１６は、それぞれキャップ２０を収容するための収容空間１７、１７を露出させる上向きの大きな開口１７ａ，１７ａを備えている。
ホルダ１１に収容されるキャップ２０は、この開口１７ａ，１７ａから下方にスライドさせて差し込むように収容空間１７，１７に収容されるようになっている。なお、収容空間１７はホルダ１１内の大きな空間を意味し、その収容空間１７内で、個々のキャップ２０が収容される部分を収容部という。
【００１７】
図３はホルダ１１を示す図であって、図３（ａ）はホルダ１１の概略平面図、図３（ｂ）は図３（ａ）のＡ−Ａ線端面図である。
図２および図３を参照する。
図３（ａ）に示すように、上半体１５と下半体１６の内側には、それぞれ長辺に沿って、一方の壁部３１と他方の壁部３２とがある。収容部の一部である保持部３３は、図示されているように、キャップ２０のカバー部２１に対応する形状とされており、スリット状の空間を形成するものである。すなわち、この断面Ｔ字状またはＬ字状の境界部である保持部３３は、個々のキャップ２０のカバー部２１を隔離するためのスリット状の空間を形成するものであり、各保持部３３は、各上半体１５と下半体の互いに対向する一方の壁部３１と他方の壁部３２のそれぞれの壁部に沿って、長手方向に並ぶように形成されている。
【００１８】
すなわち、収容部の一部を構成する上記保持部３３は、例えば、図２で説明したキャップ２０の板状のカバー部２１を緊密に受容できる平たい矩形状の空間である。この空間内には、図２で示すように、保持部３３側に境界部から突出するように、開口１７ａ側から奥側にかけて高くなるよう形成された支持リブ３３ｃが形成されることにより、収容されたカバー部２１を押し込んで確実に保持するようになっている。また、各保持部３３の内側には、図３（ａ）において、略コ字状となった支持部３７が形成されている。
図２に示されているように、各キャップ２０は、そのカバー部２１がスリット状の上記保持部３３に収容されると、一対の各脚片の間に支持部３７が入り込むようにして、ぐらつきを抑えた状態で、各差込部２２が内向きになるように支持されるようになっている。
【００１９】
この結果、図２および図３（ａ）に示すように、一方の壁部３１の保持部３３に収容されたキャップ２０と、他方の壁部３２の保持部に収容されたキャップ２０は向きあうようにされるが、正対しない状態とされる。
すなわち、図３（ａ）の下半体１６の左端部を参照して理解されるように、一方の壁部３１にある保持部３３ａと、他方の壁部３２にある保持部３３ｂは、長手方向に互いに位置をずらして形成されている。また、一方の壁部３１側の支持部３７ａと、他方の壁部３２側の支持部３７ｂも長手方向に位置をずらして形成されている。すなわちキャップ２０に設けられた一対の各差込部２２の幅の範囲で位置をずらして形成されている。この結果、これらの収容・支持される各キャップ２０，２０は、ともに内側に延びる差込部２２同士が互い違いに入り込むようにされるのである。
かくして、図２にキャップ列２０−１と２０−２で示すように、下半体１６の互いに向かい合う、もしくは対向する各壁部に３個ずつ全部で６個のキャップ２０が収容され、上半体１５にも同じ数のキャップ２０が収容されるから、コンパクトなホルダ１１の限られた収容空間１７内に、全部で１２個のキャップ２０が収容されることになる。なお、保持部３３等を適宜設けることで、キャップ２０の収容個数を増やすことができる。
【００２０】
さらに、ホルダ１１の上半体１５と下半体１６の各開口１７ａ，１７ａ側には、それぞれ保持部３３に対応した各外壁が貫通されてなる半円状の貫通孔が形成されている。例えば下半体１５の貫通孔１２ａと上半体１２ｂは同形の半円形であり、図１のように上半体１５と下半体１６を閉じた際には、重なり合って正円形状となるものである。
これにより、これら貫通孔を通して、その箇所に対応してキャップ２０が収容されているかどうかが、図１の状態でもホルダ１１の外部から容易に視認できるものである。
また、図２や図３（ｂ）に示すように、各貫通孔１２ａ，１２ｂは、上が開く半円形であるために、上方から指をいれて、対応箇所に収容されているキャップ２０を掴むことが容易となり、このようなキャップ２０取り出しの際に、押圧して送り出したり、摘んで取り出すための指かかりとしても機能するものである。
なお、このような貫通孔は、円形もしくは半円形に限らず、楕円や長円でもほぼ同様の作用を発揮できるし、矩形や正方形、六角形などの多角形や、デザイン上の効果をねらった不定な曲線でなる外形を備えたものでもよい。また、外観上で使用量を把握できるよう、貫通孔ではなく、ホルダ１１の少なくとも一部を透明にしてもよい。
【００２１】
上半体１５と下半体１６の一方の自由端部、例えば、この実施形態では上半体１５の外側に相当する自由端部には、図２および図３（ｂ）に示すように、取外し手段３４と係合手段３６とが一体に形成されている。
先ず、係合手段３６は、幅広の薄板であって、上半体１５の開口１７ａ側に延びており、先端付近には返しのついた係合爪を有することにより、図１のように上半体１５と下半体１６を閉じた際に下半体１６に設けられた自由端部の段部に係合されるものである。このように形成された係合手段３６を撓ませながら、下半体１６との係合を解除して各半体を開く構成とされているため、幼児では開きづらく、ホルダ１１からキャップ２０を取り出してしまうことを防いでいる。
なお、より幼児では開きづらいように、上半体１５の係合手段３６と下半体１６の係合を、解除ボタンと連動する係止手段等による構成等にしてもよい。
【００２２】
取外し手段３４は、図３（ｂ）に示すように、下半体１５の自由端部外側において、上記係合手段３６とは反対の方向である外側に延びており、例えば、厚みがきわめて薄く、幅の狭い舌片状の取り外し爪として形成されている。この取り外し爪は、キャップ２０を図示しないコンセントの差込孔を塞ぐように装着してある状態から、該キャップ２０を取り外すためのものである。
すなわち、キャップ２０の正方形のカバー部には、その辺部に図２に示すような受容部である切欠き部３５が形成されており、コンセントに装着した場合には、この切欠き部３５はコンセント表面との間で薄いスリットを形成している。このスリットに取外し手段３４である厚みの薄い取り外し爪を差し込んで、該キャップ２０を外すものである。
【００２３】
このように、本実施形態では、取外し手段３４は、ホルダ１１の外面に一体に設けられ、従来のような別体の小さな取外し手段を紛失したり、幼児による誤飲の心配が無い。また、ホルダ１１に設けた取外し手段が、収容されているキャップ２０の取り外しに用いられるという関係であり、幼児には容易に理解できる仕組みではなく、キャップ２０を簡単に外すことはできないので、その目的を確実に果たすことができる。
本実施形態は以上のように構成されており、従来と比べてより沢山のコンセントキャップを収容できる上に、全体の外形を小型に形成できるコンパクトなホルダを備える装置１０を提供することができる。
【００２４】
図４ないし図６は第２の実施形態を示している。
すなわち、図４は第２の実施形態に係る装置１０−１のホルダ１１−１の概略平面図であり、図５は図４のＢ−Ｂ線概略端面図である。
第２の実施形態において、第１の実施形態と同じ符合を付した箇所は共通の構成であるから、重複する説明は省略し、以下、相違点を中心に説明する。
この実施形態では、下半体１６−１と上半体１５−１の形状が第１の実施形態とやや異なり、この実施形態の各半体は、第１の実施形態と比較するとやや幅が広く、高さ寸法はやや小さく薄い形態とされている。
【００２５】
ホルダ１１−１の一方の壁部３１−１は、この実施形態の場合、下半体１６−１の内側底部であり、他方の壁部３２−１は上半体１５−１の内側底部である。
図４に示すように、一方の壁部３１−１には、キャップの収容部３８が２列で長手方向に３つずつ形成されている。すなわち、図５に示されているように、下半体１６−１の内側底部には、小さなボス状の突起でなる境界部として、カバー部を収容する空間を形成する保持部３３−１が設けられており、各保持部の間にキャップ２０のカバー部２１を保持するようになっている。そして、各キャップ２０の差込部２２は図５では上方に向いており、図１のように各半体を重ねると内側を向くようになっている。この時、差込部２２は、ホルダ１１−１の開口１７−１，１７−１よりも上部まで延びるよう配置されている。
【００２６】
図４に示されているように、例えば、下半体１６−１の各収容部３８は上列と下列が互いに長手方向にやや位置をずらして形成されており、対応する上半体１５−１も上列と下列が同様に位置をずらして形成されている。そして、上半体１５−１と下半体１６−１の対応する各上列と各下列は長手方向にやや位置をずらして、すなわちキャップ２０に設けられた一対の各差込部２２の幅の範囲で位置をずらして形成されている。このため、各半体１５，１６を重ねた収容状態では、上半体１５−１と下半体１６−１に設けられた差込部２２の内、対向する例えば下半体１６−１側の差込部２２ａと上半体１５−１側の差込部２２ｂとが互い違いに交差するよう配置されることになる。
また、図５に示されているように、各半体の底部、すなわち、ホルダ１１−１の一方の壁部３１−１と他方の壁部３２−１には、それぞれ収容部３８の位置に対応して貫通孔１２−１が形成されている。各貫通孔１２−１は第１の実施形態の貫通孔１２と同じであり、貫通孔１２−１から指を差し入れて押すことで、キャップ２０を保持部３３−１から取り外すことができる。
ここまでの構成は、下半体１６−１と上半体１５−１で同じであり、このため、各半体が６個ずつのキャップ２０を収容できるから、この実施形態でも第１の実施形態と同様に１２個のキャップ２０を収容することができる。
【００２７】
さらに、上半体の自由端部、すなわち図５の右端部には、第１の実施形態と同様に係合手段３６が形成されているが、この係合手段３６は取外し手段３４−１と一体ではなく、別体に形成されたものが一体的に装着されている。
図６は、本実施形態の取外し手段４１（３４−１）を示す概略斜視図である。
図において、取外し手段４１は、切欠きのあるほぼ筒状の形態であり、中央に空間４３が設けられている。取外し手段４１の下端には先端が狭められた厚みの薄い取り外し爪４２が形成されている。
【００２８】
この取外し手段４１は、図４および図５に示されているように、上半体１５−１の自由端部に突出した係合手段３６が、その空間４３に挿通されることにより、該係合手段３６の外側に取付けられる。これにより、図６に示すように取外し手段４１は装着状態で矢印方向にスライドさせることができる。
すなわち、図１の実施形態と比べると、ホルダ１１−１の高さ寸法が小さいので、相対的に取外し手段４１の大きさが大きくなるから、図５の矢印方向にスライドさせることで、収納等の状態でホルダ１１−１から突出しないようにしたものである。
本実施形態は以上のように構成されており、第１の実施形態と同様に、従来と比べてより沢山のコンセントキャップを収容できる上に、全体の外形を小型に形成できるコンパクトなホルダを備える装置１０−１を提供することができる。
【００２９】
図７および図８は第３の実施形態を示している。
すなわち、図７は第３の実施形態に係る装置１０−２の概略斜視図、図８は第３の実施形態に係る装置１０−２の概略分解斜視図である。
第３の実施形態において、第１の実施形態と同じ符合を付した箇所は共通の構成であるから、重複する説明は省略し、以下、相違点を中心に説明する。
【００３０】
図７に示すように、ホルダ１１−２は、全体として三角柱状の中空のケースであり、形状は大きく異なるが、第１の実施形態と同様に合成樹脂を成形して形成できる。
ホルダ１１−２は図８に示されているように、中部材５１と、該中部材５１に固定される枠部材５２と、中部材５１に対して枠部材５２とは半体の面に固定されるカバー部材６１とを有している。
【００３１】
中部材５１は、ホルダ１１−２の内側の収容空間を仕切る仕切り部材である。
具体的には、中部材５１は、図８にて両端が開放され、長手方向に沿って延びる溝状もしくはレール状の第１の収容空間５２と、図８において両端が開放され、長手方向に平行に延びる一対の溝状もしくはレール状の部分である第２の収容空間５３と第３の収容空間５４とを備えており、第１の収容空間５２に対して第２，第３の収容空間５３，５４は中部材５１内で交差するように配置されている。
図８において、第１の収容空間５２には、図示したように、４個のキャップが一列に並んだキャップ列２０−５の差込部２２の部分が、矢印方向にスライドされて収容される。
これに対して、上記キャップ列の各差込部の方向と反対の方向に差し込み部２２を向けた２つのキャップ列２０−６と２０−７とは、それぞれ第２の収容空間５３と、第３の収容空間５４とに、各差込部２２の部分が、矢印方向にスライドされて収容される。
【００３２】
カバー部材６１は、ホルダ１１−２のほぼ三角柱状の外形の大半を占めるシェル状の部材である。
カバー部材６１の三角柱状または台形柱状の頂点位置における一方の端部にはほぼＴ字状の開口６２が形成され、逆側の端部は壁面で塞がれている。そして側壁面に位置する頂部（台形における短辺）にはその対応位置に収容されるキャップ列２０−５の全てのカバー部２１の面積より小さくした第１の貫通孔６５が形成されている。
これにより、端部に設けられた開口６２において出し入れを可能としつつ、第一の貫通孔６５が設けられた頂部の部分には中部材５１と、第一の貫通孔６５外周に位置するカバー部材２１内面との空間によって、キャップ２０のカバー部２１が収容される厚みの薄いスリットでなる保持部３３−５が形成される。そして、頂部における壁面の位置には貫通孔６５が形成されている。
一方、カバー部材６１の底部となる開放面６１ａ側には上記枠部材５２が取り付けられることとなり、図７に示すように、その第２の収容空間５３と第３の収容空間５４に連続するＴ字状の開口となる開口６３と開口６４が形成されている。
【００３３】
枠部材５２は、平板な枠状の部材であり、カバー部材６１の底部となる開放面６１ａの外形と一致する矩形の外形を備えた枠体とされ、中部材５１を挟んだ状態でカバー部材６１と嵌合される。そして、枠部材５２の中央には長手方向に横切るように配置される区画枠５５が設けられている。区画枠５５の図８における奥側端部は内方に屈曲された取外し手段を兼ねている。この取外し手段３４−２は、湾曲した先端が取り外し爪となる。
【００３４】
枠部材５２の開口６３，６４の外周に位置する内面と中部材５１との間には、厚みの薄い一対のスリット状部分が平行に長手方向に延びるように形成され、これらはそれぞれ保持部３３−６，３３−７とされる。これにより、第２の収容空間５３に開口６３からキャップ列２０−６の差込部２２が挿入されると、このキャップ列２０−６のカバー部２１が保持部３３−６に収容されるようになっている。
また、同様に、第３の収容空間５４に開口６４からキャップ列２０−７の差込部２２が挿入されると、このキャップ列２０−７のカバー部２１が保持部３３−７に収容されるようになっている。
【００３５】
図７は、このようなホルダ１１−２に図７の各キャップ列を収容した状態を示している。この状態では、図８の説明から明らかなように、ホルダ１１の一方の壁部（カバー部材６１の頂部の内面）と、これと向き合う他方の壁部（着脱枠５５の内側等）のそれぞれ長手方向に沿うようにキャップ２０の収容部が形成されている。
しかもこれら収容部に関しては、図８で説明したように第１の収容部５２と第２の収容部５３と第３の収容部５４は短手方向に位置をずらして形成されている。このため、収容状態で、キャップ列２０−５と、これと向き合う方向のキャップ列２０−６，２０−７は、それぞれ差込部２２をホルダ１１の内側に向けているが、正対しないように位置をずらすことで、互いに入りこむようにされている。
そして、各貫通孔６５，５６，５７からキャップ２０の使用量を把握することができると共に、貫通孔のひとつから指を差し込んで図８の矢印と逆側にスライドさせることで、キャップ２０を開口６２，６３，６４から取り出して使用することができる。
かくして、本実施形態においても、第１の実施形態と同様に、従来と比べてより沢山のコンセントキャップを収容できる上に、全体の外形を小型に形成できるコンパクトなホルダを備える装置１０−２を提供することができる。
【００３６】
上述の各実施形態における各構成は相互に組み合わせたり、必要により、その一部を省略したり、他の構成と入れ換えて、異なる構成の組み合わせのもとで実施されてもよい。
【図面の簡単な説明】
【００３７】
【図１】本発明の第１の実施形態の概略斜視図。
【図２】図１の装置の上半体と下半体を開いた状態の概略斜視図。
【図３】図１の装置のホルダの図。
【図４】本発明の第２の実施形態のホルダの概略平面図。
【図５】図４のＢ−Ｂ概略縦断面図。
【図６】取外し手段の概略斜視図。
【図７】本発明の第３の実施形態の概略斜視図。
【図８】図７の装置の分解斜視図。
【符号の説明】
【００３８】
１０，１０−１，１０−２・・・（コンセントキャップ）装置、１１，１１−１，１１−２・・・ホルダ、１２，１２−１，５５，５６，６５・・・貫通孔、１５，１５−１・・・上半体、１６，１６−１・・・下半体、１７・・・収容空間、２０・・・（コンセント）キャップ、２１・・・カバー部、２２・・・差込部、３１・・・一方の壁部、３２・・・他方の壁部
【図１】
2007323935.tif 000003
【図２】
2007323935.tif 000004
【図３】
2007323935.tif 000005
【図４】
2007323935.tif 000006
【図５】
2007323935.tif 000007
【図６】
2007323935.tif 000008
【図７】
2007323935.tif 000009
【図８】
2007323935.tif 000010